(57)【要約】【課題】２つの居室をそれぞれ専用の居室として使用することができるとともに、一方の居室から他方の居室の様子をある程度知ることができる居室構造を提供する。【解決手段】居室１の左右方向略中央部に収納所（ウォークインクローゼット）１０が設けられており、この収納所１０の右側と左側とがそれぞれ分割居室１１，１１とされ、これら分割居室１１，１１の間でかつ前記収納所１０の前方のスペースが共有スペース１４とされ、前記収納所１０の出入口１０ａは前記共有スペース１４に面しているので、２つの分割居室１１，１１をそれぞれ専用の居室として使用することができるとともに、一方の分割居室１１から他方の分割居室１２の様子をある程度知ることができる。【選択図】図１
2008297810.tif 000002
【特許請求の範囲】
【請求項１】
居室の左右方向略中央部に収納所が設けられており、この収納所の右側と左側とがそれぞれ分割居室とされ、これら分割居室の間でかつ前記収納所の前方のスペースが共有スペースとされ、前記収納所の出入口は前記共有スペースに面していることを特徴とする居室構造。
【請求項２】
請求項１に記載の居室構造において、
前記共有スペースに面する外壁には、窓が前記収納所の出入口に対向して設けられていることを特徴とする居室構造。
【請求項３】
請求項１または２に記載の居室構造において、
前記収納所の後方には、前記分割居室どうし間を行き来可能とする通路が設けられていることを特徴とする居室構造。
【請求項４】
請求項３に記載の居室構造において、
前記通路に面する壁に、この通路に出入りするための出入口が設けられていることを特徴とする居室構造。
【請求項５】
請求項１〜４のいずれか一項に記載の居室構造において、
一方の分割居室に面する外壁と、他方の分割居室に面する外壁とに、それぞれ窓が対向し、かつ、前記共有スペースを挟むようにして設けられていることを特徴とする居室構造。
【発明の詳細な説明】
【技術分野】
【０００１】
本発明は、クローゼット等の収納所を備えた居室の構造に関する。
【背景技術】
【０００２】
クローゼット等の収納所を備えた住宅の一例として、特許文献１に記載のものが知られている。この特許文献１に記載の住宅では、居間にそれぞれ隣接して２つの和室が配置され、これら２つの和室の間に両和室 から出入り可能なウォークインクローゼットが配置されている。
【特許文献１】特開２００２−１９４９００号公報
【発明の開示】
【発明が解決しようとする課題】
【０００３】
ところで、上記のような住宅では、両和室がウォークインクローゼットによって完全に分離した形態となっているので、一方の和室から他方の和室の様子をよく知ることはできない。したがって、和室を客間等として使用するのには好都合である。
一方、近年では、特に熟年夫婦と称される夫婦では、寝室を別々にするのでもなく、また同じにするのでもない、いわゆる「付かず離れず」といった形態を要望する場合があり、上記のようなウォークインクローゼットによって完全に分離した形態では、その要望に応えることができない。
【０００４】
本発明は上記事情に鑑みてなされたもので、２つの居室をそれぞれ専用の居室として使用することができるとともに、一方の居室から他方の居室の様子をある程度知ることができる居室構造を提供することを課題としている。
【課題を解決するための手段】
【０００５】
上記課題を解決するために、請求項１に記載の発明は、例えば図１に示すように、居室１の左右方向略中央部に収納所（ウォークインクローゼット）１０が設けられており、この収納所１０の右側と左側とがそれぞれ分割居室１１，１１とされ、これら分割居室１１，１１の間でかつ前記収納所１０の前方のスペースが共有スペース１４とされ、前記収納所１０の出入口１０ａは前記共有スペース１４に面していることを特徴とする。
【０００６】
請求項１に記載の発明によれば、居室１の左右方向略中央部に収納所（ウォークインクローゼット）１０が設けられており、この収納所１０の右側と左側とがそれぞれ分割居室１１，１１とされているので、２つの分割居室１１，１１をそれぞれ専用の居室として使用することができる。また、２つの分割居室１１，１１は１つの居室１を収納所１０によって分割することによって設けられたものであるので、一方の分割居室１１から他方の分割居室１２の様子をある程度知ることができる。
また、分割居室１１，１１の間でかつ収納所１０の前方のスペースが共有スペース１４とされ、収納所１０の出入口１０ａは共有スペース１４に面しているので、収納所１０を共有して使用できるとともに、共有スペース１４から収納所１０に容易に物を出し入れできる。
【０００７】
請求項２に記載の発明は、請求項１に記載の居室構造において、
前記共有スペース１４に面する外壁１５には、窓１６が前記収納所１０の出入口１０ａに対向して設けられていることを特徴とする。
【０００８】
請求項２に記載の発明によれば、外壁１５に設けられた窓１６から収納所１０にその出入口１０ａを通して、採光や通風を確保できる。
【０００９】
請求項３に記載の発明は、請求項１または２に記載の居室構造において、
前記収納所１０の後方には、前記分割居室１１，１１どうし間を行き来可能とする通路１７が設けられていることを特徴とする。
【００１０】
請求項３に記載の発明によれば、収納所１０の後方に通路１７が設けられているので、この通路１７を通って、各分割居室１１，１１に出入りできる。したがって、一方の分割居室１１に出入りする際に、他方の分割居室１１を通ることがないので、分割居室１１，１１としての独立性を得ることができる。
【００１１】
請求項４に記載の発明は、請求項３に記載の居室構造において、
前記通路１７に面する壁５に、この通路１７に出入りするための出入口６が設けられていることを特徴とする。
【００１２】
請求項４に記載の発明によれば、通路１７に面する壁５に出入口６が設けられているので、この出入口６を通って、他の廊下、階段４、居室から通路に出入りできる。
【００１３】
請求項５に記載の発明は、請求項１〜４のいずれか一項に記載の居室構造において、
一方の分割居室１１に面する外壁１９と、他方の分割居室１１に面する外壁２４とに、それぞれ窓２１，２４が対向し、かつ、前記共有スペース１４を挟むようにして設けられていることを特徴とする。
【００１４】
請求項５に記載の発明によれば、２つの分割居室１１，１１に設けられた窓２１，２４が互いに対向し、かつ共有スペース１４を挟んでいるので、一方の窓２１（２４）から他方の窓２４（２１）へ共有スペース１４を通って風の抜けがよくなる。
【発明の効果】
【００１５】
本発明によれば、居室の左右方向略中央部に収納所が設けられており、この収納所の右側と左側とがそれぞれ分割居室とされているので、２つの分割居室をそれぞれ専用の居室として使用することができるとともに、一方の分割居室から他方の分割居室の様子をある程度知ることができる。
また、分割居室の間でかつ収納所の前方のスペースが共有スペースとされ、収納所の出入口は共有スペースに面しているので、収納所を共有として使用できるとともに、共有スペースから収納所に容易に物を出し入れできる。
【発明を実施するための最良の形態】
【００１６】
以下図面を参照して本発明の実施の形態について説明する。
図１は、本発明に係る居室構造を備えた建物の２．５階の平面図である。図１に示すように、建物の２．５階の西側には、居室１が設けられている。この居室１は南北の長尺な平面視矩形状のものであり、居室１の北側には、洗面室兼トイレ２が東に隣接して設けられている。洗面室兼トイレ２と、居室１とを仕切る壁には、出入口３が設けられており、この出入口３を通って居室１から洗面室兼トイレ２に出入りできるようになっている。
【００１７】
また、建物の２階と２．５階との間には階段４が設けられており、この階段４の最上段に設けられた踊り場４ａは、居室１の東側の壁５に接している。壁５には居室１に出入りするための出入口６が設けられており、この出入口６に踊り場４ａが面している。また、洗面室兼トイレ２の南側の壁には、出入口７が設けられており、この出入口７にも踊り場４ａが面している。
【００１８】
前記居室１の左右方向（図１において南北方向）略中央部にはウォークインクローゼット（収納所）１０が設けられている。このウォークインクローゼット１０は平面視略矩形状のものであり、該ウォークインクローゼット１０を形成する壁は天井まで達している。ウォークインクローゼット１０の右側（北側）と左側（南側）とはそれぞれ分割居室１１，１１とされている。分割居室１１，１１は夫婦の寝室として使用される部屋であり、各分割居室１１にはベッド１３が設置されている。
分割居室１１，１１の間でかつウォークインクローゼット１０の前方（西側）は、共有スペース１４とされ、この共有スペース１４には、長机と椅子が設置されている。また、ウォークインクローゼット１０の出入口１０ａは、共有スペース１４に面しており、この共有スペース１４から出入口１０ａを通してウォークインクローゼット１０に出入りして物を出し入れできるようになっている。
また、共有スペース１４に面する外壁１５には、三連の窓１６・・・が設けられている。窓１６は片開き窓であり、ウォークインクローゼット１０の出入口１０ａに面している。
【００１９】
ウォークインクローゼット１０の後方（東側）には、通路１７が設けられている。通路１７は分割居室１１，１１どうしを行き来可能とするものであり、この通路１７に面する壁５には、通路１７に出入りするための前記出入口６が設けられている。
【００２０】
北側の分割居室１１に面する外壁１９には、窓２０，２１が東西に離間して設けられている。窓２０は片開き窓であり、窓２１はジャロジー窓である。ジャロジー窓２１は、細長いガラスの羽板を並べ、その角度を変えることで開け閉めができる方式の窓である。
南側の分割居室１１に面する外壁２２には、窓２３，２４が設けられている。窓２３は分割居室１１とバルコニー２５との間を行き来可能とする掃出し窓であり、窓２４はジャロジー窓である。
前記外壁１９と外壁２２とは対向しており、これら外壁１９，２２にそれぞれ設けられた窓２１，２４は対向し、かつ、共有スペース１４を挟むようにして設けられている。
また、窓２４の前方にはルーバ２６が設けられている。ルーバ２６は、幅の狭い横長の板を多数上下方向に一定の間隔で配置してなるものであり、上下に隣り合う横長の板間から通風や採光を確保できる一方で、外部からの視線を遮断できるようになっている。
また、前記壁５には、南側の分割居室１１に面して開口部が設けられており、この開口部には透明なガラス板２７がはめ込まれている。
【００２１】
本実施の形態によれば、居室１の左右方向略中央部にウォークインクローゼット１０が設けられており、このウォークインクローゼット１０の右側と左側とがそれぞれ分割居室１１，１１とされているので、２つの分割居室１１，１１をそれぞれ専用の居室として使用することができる。また、２つの分割居室１１，１１は１つの居室１をウォークインクローゼット１０によって分割することによって設けられたものであるので、一方の分割居室１１から他方の分割居室１１の様子をある程度知ることができる。
また、分割居室１１，１１の間でかつウォークインクローゼット１０の前方のスペースが共有スペース１４とされ、ウォークインクローゼットの出入口１０ａは共有スペース１４に面しているので、ウォークインクローゼットを共有して使用できるとともに、共有スペース１４からウォークインクローゼット１０に容易に物を出し入れできる。
また、共有スペース１４に面する外壁１５には、窓１６がウォークインクローゼット１０の出入口１０ａに対向して設けられているので、窓１６からウォークインクローゼット１０にその出入口１０ａを通して、採光や通風を確保できる。
【００２２】
さらに、ウォークインクローゼット１０の後方に、分割居室１１，１１どうし間を行き来可能とする通路１７が設けられているので、この通路１７を通って、各分割居室１１に出入りできる。したがって、一方の分割居室１１に出入りする際に、他方の分割居室１１を通ることがないので、分割居室１１，１１としての独立性を得ることができる。
また、通路１７に面する壁５に、この通路１７に出入りするための出入口６が設けられているので、この出入口１７を通って、階段４の最上段の踊り場１４ａから通路１７に出入りできる。また、踊り場１４ａは出入口７にも面しているので、この踊り場１４ａから洗面室兼トイレ２にも出入りできる。
また、一方の分割居室１１に面する外壁１９と、他方の分割居室１１に面する外壁２２とに、それぞれ窓２１，２４が対向し、かつ、前記共有スペース１４を挟むようにして設けられているので、一方の窓２１（２４）から他方の窓２４（２１）へ共有スペース１４を通って風の抜けがよくなる。
【図面の簡単な説明】
【００２３】
【図１】本発明に係る居室構造を備えた建物の平面図である
【符号の説明】
【００２４】
１  居室
５  壁
６  出入口
１０  ウォークインクローゼット（収納室）
１０ａ  出入口
１４  共有スペース
１５  外壁
１６  窓
１７  通路
１９  外壁
２０  窓
２２  外壁
２４  窓
【図１】
2008297810.tif 000003